(57)【要約】【課題】不正な読み取りを防止できる二次元コード印刷物と冊子状物を提供する。【解決手段】二次元コード印刷物１は、二次元コード完成体を分割端により複数に分割した状態の複数の分割パターンを一辺に綴じ辺６が形成された用紙５に有する印刷物であって、一の分割パターンと他の分割パターンとが用紙の同一または反対面に、間隔を空けて印刷されており、分割パターン間の用紙を折り曲げして、分割パターンのそれぞれを隣接させることにより、二次元コードとして読み取り可能になることを特徴とする。本冊子状物は、二次元コード印刷物が冊子状物内に綴じ込みされていることを特徴とする。【選択図】  図１
2019077181.tif 000002
【特許請求の範囲】
【請求項１】
二次元コード完成体が複数の分割パターンに分割され、一の分割パターンと他の分割パターンとが間隔を空けて用紙の同一面に印刷されており、分割パターン間の用紙を分割端ならびに折り線を介して折り曲げて、分割パターンのそれぞれを隣接させることにより、二次元コードとして読み取り可能になる印刷物において、当該印刷物の一辺は冊子状物に綴じるための綴じ辺をなし、前記折り線の延長線が前記綴じ辺と交わるように設けられていることを特徴とする二次元コード印刷物。
【請求項２】
二次元コード完成体が複数の分割パターンに分割され、一の分割パターンが用紙の一方の面に印刷され、他の分割パターンが用紙の他方の面に印刷されており、用紙の一方の面に印刷された分割パターンの分割端と、前記他方の面に印刷された分割パターンの分割端のそれぞれを隣接させるように折り線を介して用紙を折り曲げることにより、二次元コードとして読み取り可能になる印刷物において、当該印刷物の一辺は冊子状物に綴じるための綴じ辺をなし、前記折り線の延長線が前記綴じ辺と交わるように設けられていることを特徴とする二次元コード印刷物。
【請求項３】
二次元コード完成体が三つの分割パターンに分割され、中央の分割パターンが用紙の一方の面に印刷され、他の二つの分割パターンが用紙の他方の面の端部を分割端として印刷されており、用紙の一方の面に印刷された中央の分割パターンの分割端と、前記他方の面に印刷された二つの分割パターンの分割端のそれぞれを隣接させるように二つの折り線を介して用紙を折り曲げて、三つの分割パターンを隣接させることにより、二次元コードとして読み取り可能になる印刷物において、当該印刷物の一辺は冊子状物に綴じるための綴じ辺をなし、前記折り線の延長線が前記綴じ辺と交わるように設けられていることを特徴とする二次元コード印刷物。
【請求項４】
二次元コード完成体の一つの角部分が分割端により分割され、切り取りされて残った一の分割パターンが用紙の一方の面に、切り取りした前記角部分である他の分割パターンが用紙の他方の面の端部に印刷されており、二つの分割パターンの間に設けた折り線を介して用紙を折り曲げて、二つの分割パターンを隣接させることにより、二次元コードとして読み取り可能になる印刷物において、当該印刷物の一辺は冊子状物に綴じるための綴じ辺をなし、前記折り線の延長線が前記綴じ辺と交わるように設けられていることを特徴とする二次元コード印刷物。
【請求項５】
二次元コード完成体の二つの角部分が分割端により分割され、切り取りされて残った一の分割パターンが用紙の一方の面に、切り取りした前記二つの角部である他の二つの分割パターンが用紙の他方の面の端部に印刷されており、それぞれの分割パターンの間に設けた折り線を介して用紙を折り曲げて、三つの分割パターンを隣接させることにより、二次元コードとして読み取り可能になる印刷物において、当該印刷物の一辺は冊子状物に綴じるための綴じ辺をなし、前記折り線の延長線が前記綴じ辺と交わるように設けられていることを特徴とする二次元コード印刷物。
【請求項６】
二次元コード完成体が二つの分割パターンに分割され、一の分割パターンが用紙の一方の面に印刷され、他の分割パターンが用紙の同一面または他方の面に印刷されており、用紙の一方の面に印刷された分割パターンの分割端と、他方の分割パターンの分割端のそれぞれを隣接させるように折り線を介して用紙を折り曲げることにより、二次元コードとして読み取り可能になる印刷物において、当該印刷物の一辺は冊子状物に綴じるための綴じ辺をなし、前記折り線の延長線は前記綴じ辺と交わるように設けられており、前記一方の面にカード媒体を設け、一の分割パターンを前記カード媒体の上に印刷していることを特徴とする二次元コード印刷物。
【請求項７】
二次元コード完成体が複数の分割パターンに分割され、複数の分割パターンが用紙に印刷され、複数の分割パターンの分割端それぞれを隣接させるように複数の折り線を介して用紙を折り曲げることにより、二次元コードとして読み取り可能になる印刷物において、当該印刷物の一辺は冊子状物に綴じるための綴じ辺をなし、前記複数の折り線の少なくとも一つの延長線は前記綴じ辺と交わるように設けられており、前記複数の折り線は用紙を所定形状に折る折り方を示す折り図になっており、前記複数の折り線を介して用紙を折ることで分割端それぞれが隣接するように複数の分割パターンが印刷されていることを特徴とする二次元コード印刷物。
【請求項８】
前記綴じ辺に綴じ代があって、さらに前記綴じ代と分割パターンの間に切り取り線が形成されていることを特徴とする請求項１ないし請求項７の何れか一項に記載の二次元コード印刷物。
【請求項９】
請求項１ないし請求項８の何れか一項に記載の二次元コード印刷物が冊子状物内に綴じ込みされていることを特徴とする冊子状物。
【発明の詳細な説明】
【技術分野】
【０００１】
本発明は、二次元コード印刷物と当該印刷物を備えた冊子状の物品に関する。
詳しくは、二次元コードが完全な形態ではなく、２ないし３の分割された分割パターンの状態で用紙に印刷されていて、そのままの状態では読み取り機で読めないが、用紙を折り曲げて分割パターンを隣接させることにより読み取り可能になる二次元コード印刷物と、当該印刷物が綴じ込みされている冊子状の物品に関するものである。
【背景技術】
【０００２】
近年、冊子や特定の物品の購入者を対象に、ウエブサイトに誘導する手段の一つとして、二次元コードが使用されている。冊子等の購入者は、携帯電話機のバーコード読み取り機能を用いて、冊子等に表示された二次元コードのデジタル情報を読み取りし、二次元コードが示すＵＲＬまたはアドレスを用い、ウエブサイトに接続することができる。接続により懸賞などの特典が得られるというものである。
しかし、冊子等を購入しないで、例えば、書店で立ち読みの際に、携帯電話機で二次元コードを読み取りすることも可能であり、そのような方法で特典が得られる状況では、正規購入者のみが特典を得られることにはならず、購入者は不利益を受けることになる。
そこで、正規購入者のみが特典が得られるようにする工夫が従来から考えられている。
【０００３】
（従来技術）特許文献１には、ペットボトルの外面に、充填する飲料と類似色または濃い色の印刷色で二次元バーコードをラベルに印刷し、飲料を飲む前はバーコードの読み取りを不可能にし、購入し飲料を飲み干した後にのみ、読み取り可能になるラベルが記載されている。しかし、この方法では、特定の飲料の容器にしか適用できない。
【０００４】
二次元コードを本願のように分割表示することも提案されている。
特許文献２には、分割バーコードが表示された包装体が記載されているが、適用商品が箱詰めされた物に限定されるという問題がある。
特許文献３には、二次元コードを分割表示する物品を提示している。分割された部分が部分面積を合計しても、誤り訂正率を越えない範囲とするものであるが、綴じ辺を有する用紙に印刷されたものではない。
特許文献４は、印刷物に関し、デジタル情報の不完全体を記載しているが、本願のように綴じ辺または綴じ代、切り取り線を有する用紙については記載していない。
特許文献５は、単一のＱＲコード（登録商標）画像を割り符式の分割画像を用いて表示することを提案しているが、分割画像の一方は透明材料を使用することを要件としているので、実施範囲が限定され、本願とも相違する。
【先行技術文献】
【特許文献】
【０００５】
【特許文献１】特開２００６−３１７６５４号公報
【特許文献２】特開２００７−  ８７１２６号公報
【特許文献３】特開２００６−２５２０１０号公報
【特許文献４】特許第５３１０１８８号公報
【特許文献５】実用新案登録第３１４５６０９号公報
【発明の概要】
【発明が解決しようとする課題】
【０００６】
以上のように、従来から二次元コードを分割表示した印刷物が知られている。しかしながら、従来のものにおいては二次元コードを分割表示した印刷物を単に折り曲げするだけで本来の二次元コードが簡単に読み取られてしまうという課題がある。
そこで、本発明は、完全な状態である二次元コード完成体を複数の分割された不完全な状態のパターンとして表示した印刷物であって、当該印刷物を冊子状の物品（以下、単に「冊子」または「冊子状物」と表現する。）に綴じ込まれた状態では本来の二次元コードとして読み取りできないようにした二次元コード印刷物、およびその二次元コード印刷物が冊子状物内に綴じ込みされた冊子状物を提供することを課題とする。
【課題を解決するための手段】
【０００７】
上記課題を解決するために、本発明の要旨の１に係る二次元コード印刷物は、二次元コード完成体が分割端により複数の分割パターンに分割され、一の分割パターンと他の分割パターンとが用紙の同一面に間隔を空けて印刷されており、分割パターン間の用紙を分割端ならびに折り線を介して折り曲げて、分割パターンのそれぞれを隣接させることにより、二次元コードとして読み取り可能になる印刷物において、当該印刷物の一辺は冊子状物に綴じるための綴じ辺をなし、前記折り線の延長線が前記綴じ辺と交わるように設けられていることを特徴とする。
【０００８】
本発明の要旨の２に係る二次元コード印刷物は、二次元コード完成体が分割端により複数の分割パターンに分割され、一の分割パターンが用紙の一方の面に印刷され、他の分割パターンが用紙の他方の面に印刷されており、分割パターン間の折り線を介して用紙を折り曲げて、分割パターンのそれぞれを隣接させることにより、二次元コードとして読み取り可能になる印刷物において、当該印刷物の一辺は冊子状物に綴じるための綴じ辺をなし、前記折り線の延長線が前記綴じ辺と交わるように設けられていることを特徴とする。
【０００９】
本発明の要旨の３に係る二次元コード印刷物は、二次元コード完成体が分割端により三つの分割パターンに分割され、中央の分割パターンが用紙の一方の面に印刷され、他の二つの分割パターンが用紙の他方の面の端部に印刷されており、分割パターン間の折り線を介して用紙を折り曲げて、三つの分割パターンを隣接させることにより、二次元コードとして読み取り可能になる印刷物において、当該印刷物の一辺は冊子状物に綴じるための綴じ辺をなし、前記折り線の延長線が前記綴じ辺と交わるように設けられていることを特徴とする。
【００１０】
本発明の要旨の４に係る二次元コード印刷物は、二次元コード完成体の一つの角部分が分割端により分割され、切り取りされて残った一の分割パターンが用紙の一方の面に、切り取りした前記角部分である他の分割パターンが用紙の他方の面の端部に印刷されており、二つの分割パターンの間に設けた折り線を介して用紙を折り曲げて、二つの分割パターンを隣接させることにより、二次元コードとして読み取り可能になる印刷物において、当該印刷物の一辺は冊子状物に綴じるための綴じ辺をなし、前記折り線の延長線が前記綴じ辺と交わるように設けられていることを特徴とする。
【００１１】
本発明の要旨の５に係る二次元コード印刷物は、二次元コード完成体の二つの角部分が分割端により分割され、切り取りされて残った一の分割パターンが用紙の一方の面に、切り取りした前記二つの角部である他の二つの分割パターンが用紙の他方の面の端部に印刷されており、それぞれの分割パターンの間に設けた折り線を介して用紙を折り曲げて、三つの分割パターンを隣接させることにより、二次元コードとして読み取り可能になる印刷物において、当該印刷物の一辺は冊子状物に綴じるための綴じ辺をなし、前記折り線の延長線が前記綴じ辺と交わるように設けられていることを特徴とする。
【００１２】
本発明の要旨の６に係る二次元コード印刷物は、二次元コード完成体が二つの分割パターンに分割され、一の分割パターンが用紙の一方の面に印刷され、他の分割パターンが用紙の同一面または他方の面に印刷されており、用紙の一方の面に印刷された分割パターンの分割端と、他方の分割パターンの分割端のそれぞれを隣接させるように折り線を介して用紙を折り曲げることにより、二次元コードとして読み取り可能になる印刷物において、当該印刷物の一辺は冊子状物に綴じるための綴じ辺をなし、前記折り線の延長線は前記綴じ辺と交わるように設けられており、前記一方の面にカード媒体を設け、一の分割パターンを前記カード媒体の上に印刷していることを特徴とする。
【００１３】
本発明の要旨の７に係る二次元コード印刷物は、二次元コード完成体が複数の分割パターンに分割され、複数の分割パターンが用紙に印刷され、複数の分割パターンの分割端それぞれを隣接させるように複数の折り線を介して用紙を折り曲げることにより、二次元コードとして読み取り可能になる印刷物において、当該印刷物の一辺は冊子状物に綴じるための綴じ辺をなし、前記複数の折り線の少なくとも一つの延長線は前記綴じ辺と交わるように設けられており、前記複数の折り線は用紙を所定形状に折る折り方を示す折り図になっており、前記複数の折り線を介して用紙を折ることで分割端それぞれが隣接するように複数の分割パターンが印刷されていることを特徴とする。
【００１４】
本発明の要旨の８に係る二次元コード印刷物は、前記綴じ辺に綴じ代があって、さらに前記綴じ代と分割パターンの間に切り取り線が形成されていることを特徴とする。
【００１５】
本発明の要旨の９に係る冊子状物は、前記本発明の要旨１ないし６の何れかに記載の二次元コード印刷物が冊子状物内に綴じ込みされていることを特徴とする。
【発明の効果】
【００１６】
本発明の二次元コード印刷物によれば、用紙に二次元コードが分割パターンとして印刷されているが、冊子状物に綴じられた状態においてはカメラ付き携帯電話機等の二次元コード読取り装置では読み取りできず、冊子状物を購入しない者の二次元コードの盗用が防止できる。
一方、当該冊子状物の正規購入者は、二次元コードが印刷された用紙を冊子状物から切り取り、切り取った用紙を分割端または折り線を介して折り曲げするだけで、二次元コードとして読み取りさせることができる。
【図面の簡単な説明】
【００１７】
【図１】二次元コード印刷物の実施形態１を示す図である。
【図２】二次元コード印刷物の実施形態２を示す図である。
【図３】二次元コード印刷物の実施形態３を示す図である。
【図４】二次元コード印刷物の実施形態４を示す図である。
【図５】二次元コード印刷物の実施形態５を示す図である。
【図６】二次元コード印刷物の実施形態６を示す図である。
【図７】二次元コード印刷物の実施形態１の使用方法を示す図である。
【図８】二次元コード印刷物の実施形態３の使用方法を示す図である。
【図９】二次元コード印刷物の実施形態５の使用方法を示す図である。
【図１０】二次元コード印刷物の製作方法の例を示す図である。
【図１１】二次元コードを示す図である。
【図１２】二次元コード印刷物の実施形態７を示す図である。
【図１３】二次元コード印刷物の実施形態８を示す図である。
【図１４】二次元コード印刷物の実施形態７の使用方法を示す図である。
【図１５】二次元コード印刷物の実施形態８の使用方法を示す図である。
【発明を実施するための形態】
【００１８】
二次元コードは、二次元バーコードあるいは二次元シンボルとも言われる。
二次元コードは、構造的にバーコードを積み重ねたようなスタック型と碁盤に石を並べたようなマトリックス型に分類される。本発明は、いずれの二次元シンボルにも適用できるものである。
二次元シンボルは、英数字なら約２０００字以上、数字なら約３０００桁以上、コード化することもできる。情報化密度が高いので、極小シンボルも作成でき、漢字、仮名もコード化できる。二次元コードは一般的に、四角形ないし矩形状の外形にされている。
二次元シンボルは、基本単位であるバーやセルが小さいので、汚れや傷の影響を受け易い。そこで、二次元シンボルは、障害により読めなくなったデータや誤って読み取ったデータであっても元の正しいデータに復元する誤り訂正機能を備えている。
【００１９】
マトリックス型二次元コードにも各種あるが、わが国では、ＱＲコード（登録商標）が広く普及している。ＱＲコード（登録商標）は、シンボルの３箇所のコーナに大きなセルとそれを囲む正方形のファインダーパターンを配置することにより、シンボルの切り出しと原点検知、シンボルサイズ検知等を高速で行えるようになっている（図１１参照）。
以下、実施例の説明、図面において、ＱＲコード（登録商標）を例として記載するが、本発明はＱＲコード（登録商標）の使用に限定されるものではない。
【００２０】
本発明の実施形態について、図面を参照して説明する。
図１は、二次元コード印刷物の実施形態１を示す図である。
本発明の二次元コード印刷物は、綴じ辺６を有し、通常、切り取り線２と綴じ代３をも有する用紙５に印刷されている特徴がある。綴じ代３により冊子に綴じ込みして、抜き取り不可能にすることで、立ち読み時などでの盗用を防止するものである。切り取り線２は、正規購入者が二次元コードを切り取って利用し易くする目的である。綴じ代３が無く、綴じ辺６だけの場合は、無線綴じなどの用途を想定するものである。
【００２１】
図１（Ａ）のように、実施形態１の二次元コード印刷物１は、二次元コード完成体が１本の直線状の分割端４ａにより二分割され、二つの分割パターンＰ１，Ｐ２を一辺に綴じ辺６となる用紙５に有する印刷物である。
一の分割パターンＰ１と他の一の分割パターンＰ２とが用紙５の同一面に、間隔を空けて印刷されていて、分割パターンＰ１，Ｐ２間の用紙５を折り曲げして、二つの分割パターンを分割端４ａで隣接させることにより、二次元コードとして読み取り可能になる特徴がある。
【００２２】
分割端４ａとは、実際に二次元コード完成体を切断して分割する線を意味しない。分割した場合の状態を想定するものである。後述する図２〜図６における分割端も同様である。
なお、図３〜図６においては分割端が用紙端部の一辺に位置する場合が例示されているが、用紙端部が分割端となる場合においても同様である。
図1（Ａ）を例に分割パターンについて更に詳細に説明する。
実際には、分割パターンＰ１，Ｐ２は印刷して形成するので、分割端の部分に、一定の幅で重複する部分が生じるようにすることもできる。
分割端の部分で双方のパターンが０．２〜１．０ｍｍ程度の幅で重なるようにすることが、読み取り易い二次元コードとなり易い。
なお、隣接させるとは、分割パターン間の両端部を揃え、分割パターン間が連続するように、想定上の分割端に沿って合わせることである。上記のように重なる部分を有する場合は、狭い幅でパターンが重なることになる。重ね合わせ部分に多少の誤差があっても誤り訂正機能が働いて正しく読める場合がある。
【００２３】
分割端４ａは、円弧や滑らかに屈曲する線であっても分割パターンの隣接は可能であるが、分割パターン双方の隣接部分を整合する形状に加工する必要がある。本発明の実施形態１〜４（図１〜図４）では、直線状の分割端を前提とする。
分割端４ａならびに折り線の延長線は、綴じ辺６に接するもしくは交わる方向にするのが最良である。
分割端または折り線の延長線が、冊子の綴じ辺に接しも交わりもしない従来の形態の分割パターンが設けられている場合は、冊子から当該用紙５を切取ることなく、当該用紙５を折り曲げて二次元コード完成体が簡単に復元できるからである。したがって、立ち読み状態で当該用紙５を折り曲げして二次元コードを復元して読み取る、という不正行為を防止できないのである。
図１（Ａ）の場合、分割端４ａは分割前の二次元コードの１の辺に平行にされているが、平行に限定されるものではない。二次元コードの辺に傾斜する線であっても良い。
折り曲げは、谷折り線１ｔと山折り線１ｙにより行う。図1の場合、山折り線１ｙが、分割端４ａにも該当している。（図中の符号は単に１ｙとした。）
図１（Ａ）の場合、分割前の二次元コードの辺に平行な折り線であるが、傾斜した分割端の場合は、折り線も二次元コードの辺に平行しない線になる。分割パターンＰ２の印刷位置の調整も必要になる。
分割端の形成方法は、以下の図２〜図４の各実施形態で共通である。
【００２４】
図１（Ｂ）のように、用紙５の裏面には印刷がされていない。鎖線で囲った矩形枠は、表面に分割パターンＰ１，Ｐ２があることを示している。
谷折り線１ｔと山折り線１ｙは、用紙５の裏面では、山と谷が逆の関係になるが、用紙５の表面に対する機能を説明していることを理解してほしい。折り線は、ミシン目、あるいは筋押し線などで特別に形成するものでなくても良く、指先などの動作により形成されるものであって良い。ただし、判り難い場合は指示線などとして明示しても良い。
一方、切り取り線２は、ミシン目線などで形成するものが好適であるがミシン目に限られるわけではない。例えば、ハーフカットでもよいし、筋押し線でもよいし、あるいは単に指示線などとして明示したものでもよい。
【００２５】
図２は、二次元コード印刷物の実施形態２を示す図である。
図２（Ａ）のように、実施形態２の二次元コード印刷物１は、二次元コード完成体を２本の直線状の分割端４ａ，４ｂにより三分割した状態の三つの分割パターンＰ１，Ｐ２，Ｐ３を用紙５に有する印刷物である。中央の分割パターンＰ１と他の二の分割パターンＰ２，Ｐ３とが用紙５の同一面に、それぞれ間隔を空けて印刷されている。分割パターン間の用紙５を折り曲げして、三つの分割パターンＰ１，Ｐ２，Ｐ３をそれぞれの分割端で隣接させることにより、二次元コードとして読み取り可能になる特徴がある。
【００２６】
分割パターンＰ１と分割パターンＰ２は、分割端４ａで分割されており、山折り線１ｙと谷折り線１ｔとにより用紙５を折り曲げして、分割パターンＰ１と分割パターンＰ２を分割端４ａで隣接させる。分割パターンＰ１と分割パターンＰ３は、分割端４ｂで分割されており、山折り線２ｙと谷折り線２ｔとにより折り曲げして、分割パターンＰ１と分割パターンＰ３を分割端４ｂで隣接させる。
図２の場合、山折り線１ｙが、分割端４ａにも該当し、山折り線２ｙが、分割端４ｂにも該当している。（図中の符号は単に１ｙ、２ｙとした。）
分割端４ａ，４ｂを綴じ辺６や切り取り線２に接するもしくは交わるように設けることが好ましいのは、実施形態１と同様である。
図２（Ｂ）のように、用紙５の裏面には印刷がされていない。鎖線で囲った矩形枠は、表面に分割パターンＰ１，Ｐ２，Ｐ３があることを示している。
【００２７】
図３は、二次元コード印刷物の実施形態３を示す図である。
図３（Ａ）のように、実施形態３の二次元コード印刷物１は、二次元コード完成体を１本の分割端４ａにより二分割した状態の二つの分割パターンＰ１、Ｐ２を用紙５に有する印刷物である。一の分割パターンＰ１が用紙５の一方の面に、他の一の分割パターンＰ２が用紙５の他方の面の端部（図３において下端）に印刷されていて、用紙５を折り曲げして、二つの分割パターンＰ１，Ｐ２を分割端４ａで隣接させることにより、二次元コードとして読み取り可能になる特徴がある。
【００２８】
図３（Ｂ）は、実施形態３の裏面を示す図である。図３（Ｂ）ように、分割パターンＰ２は、用紙５の下端に接して設けられており、分割端４ａと用紙５の下端の中間が折り曲げの中心線である谷折り線３ｔとなっている。
なお、図３（Ｂ）においては、分割パターンＰ２の分割端が用紙端部の一辺に位置する場合であるが、この場合においても分割端の延長線は、綴じ辺６に接するもしくは交わるという概念に含まれるものとする。
【００２９】
図４は、二次元コード印刷物の実施形態４を示す図である。
図４（Ａ）のように、実施形態４の二次元コード印刷物１は、二次元コード完成体を２本の直線状の分割端４ａ，４ｂにより三分割した状態の三つの分割パターンＰ１，Ｐ２，Ｐ３を用紙５に有する印刷物である。中央の分割パターンＰ１が用紙５の一方の面に、他の二つの分割パターンＰ２，Ｐ３が用紙５の他方の面の端部に印刷されていて、用紙５を折り曲げして、三つの分割パターンＰ１，Ｐ２，Ｐ３をそれぞれの分割端で隣接させることにより、二次元コードとして読み取り可能になる特徴がある。
【００３０】
図４（Ｂ）は、実施形態４の裏面を示す図である。図４（Ｂ）ように、分割パターンＰ２は、用紙５の下端に接して設けられており、分割端４ａと用紙５の下端の中間が折り曲げの中心である谷折り線３ｔとなっている。分割パターンＰ３は、用紙５の上端に接して設けられており、分割端４ａと用紙５の上端の中間が折り曲げの中心である谷折り線４ｔとなっている。
【００３１】
図５は、二次元コード印刷物の実施形態５を示す図である。
図５（Ａ）（Ｂ）のように、実施形態５の二次元コード印刷物１は、二次元コード完成体の一つの角部分を分割端５ａにより、四角形状に切り取りした状態の切り取り後の分割パターンＰ１と切り取った分割パターンＰ２を用紙５に有する印刷物である。切り取りされて残った一の分割パターンＰ１が用紙５の一方の面に、四角形状に切り取った他の一の分割パターンＰ２が用紙５の他方の面の端部に印刷されている。用紙５を谷折り線５ｔで折り曲げして、二つの分割パターンＰ１，Ｐ２を分割端５ａで隣接させることにより、二次元コードとして読み取り可能になる特徴がある。
【００３２】
なお、分割端５ａは、直角に折り曲がる折れ線を想定できるが、実際にパターンを切断し分割するのではないから、印刷されている形状が特定されれば良い。印刷された分割パターンＰ２が小さい四角形状であり、切り取られて残った側が小さい四角形状部を欠いた分割パターンＰ１となる。
図５の場合、分割パターンＰ２は、二次元コード完成体を縦横の中心線で四分割したように見えるが、四分割に限定されない。二次元コードが読み取り不可能になる程度に切り欠く大きさであれば良い。
分割パターンＰ２は、その１辺が切り取り線２に接していることが、二次元コード印刷物１の冊子からの切り取りが必然となって好ましい。谷折り線５ｔは、分割パターンＰ１の辺に対して４５°になる特徴がある。
【００３３】
図６は、二次元コード印刷物の実施形態６を示す図である。
図６（Ａ）（Ｂ）のように、実施形態６の二次元コード印刷物１は、二次元コード完成体の二つの角部分を分割端５ａ，５ｂにより、四角形状に切り取りした状態の三つの分割パターンＰ１，Ｐ２，Ｐ３を用紙５に有する印刷物である。切り取りされて残った一の分割パターンＰ１が用紙５の一方の面に、四角形状の他の二つの分割パターンＰ２，Ｐ３が用紙５の他方の面の端部に印刷されている。
用紙５を谷折り線５ｔで折り曲げして、分割パターンＰ１，Ｐ２を分割端５ａで隣接させ、谷折り線６ｔで折り曲げして、分割パターンＰ１，Ｐ３を分割端５ｂで隣接させることにより、二次元コードとして読み取り可能になる特徴がある。
分割端５ａ，５ｂの考え方は、実施形態５の場合と同様である。
分割パターンＰ２，Ｐ３は、その１辺が切り取り線２に接していることが、二次元コード印刷物１の冊子からの切り取りが必然となって好ましい。谷折り線５ｔ，６ｔは、分割パターンＰ１の辺に対して４５°になる特徴がある。
【００３４】
図７は、二次元コード印刷物の実施形態１の使用方法を示す図である。
実施形態１の場合は、二次元コード印刷物１を切り取り線２から切り取りした後、分割パターンＰ２を山折り線１ｙ（分割端４ａでもある）を分割パターンＰ１に接近させて、分割パターンＰ１，Ｐ２を隣接させることにより二次元コード完成体１０として読み取りが可能になる。
分割パターンが、Ｐ１，Ｐ２，Ｐ３の三つになる場合（図２の実施形態）は、図示していないが、図７と同様であり、容易に類推できるので、説明を省略する。
【００３５】
図８は、二次元コード印刷物の実施形態３の使用方法を示す図である。
実施形態３の場合は、二次元コード印刷物１を切り取り線２から切り取りした後、谷折り線３ｔを折り曲げして、分割パターンＰ２を分割端に接近して、分割パターンＰ１，Ｐ２を隣接させることにより二次元コード完成体１０として読み取りが可能になる。
分割パターンが、Ｐ１，Ｐ２，Ｐ３の三つになる場合（図４の実施形態）は、図示していないが、図８と同様であり、容易に類推できるので、説明を省略する。
【００３６】
図９は、二次元コード印刷物の実施形態５の使用方法を示す図である。
実施形態５の場合は、二次元コード印刷物１を切り取り線２から切り取りした後、谷折り線５ｔを折り曲げして、分割パターンＰ２を分割端に接近して、分割パターンＰ１と分割パターンＰ２を隣接させることにより二次元コード完成体１０として読み取りが可能になる。
分割パターンが、Ｐ１，Ｐ２，Ｐ３の三つになる場合（図６の実施形態）は、図示していないが、図９と同様であり、容易に類推できるので、説明を省略する。
【００３７】
以上のように、各種の実施形態を説明したが、図１〜図６に図示しない実施形態も可能である。例えば、分割パターンが三つになる場合、二つのパターンを用紙５の表面に印刷し、一のパターンを用紙５の裏面に印刷することも可能である。
また、直線状分割端により分割したパターンと、四角形状に切り取りした分割したパターンを併用することも可能である。
【００３８】
二次元コード印刷物の製法は、一般の印刷用紙を用い、通常のオフセット印刷等で印刷して、特に問題となる点はないが、折り曲げし難いか、折り曲げした状態を維持し難い印刷用紙の使用は避けたほうが良い。例えば、板紙や厚紙は折り曲げし難い典型である。
折り曲げして、分割パターンを分割端で対面させる部分の用紙５の分割パターンとは反対側面に、再湿性接着剤を塗布するか、剥離紙付き両面粘着テープを貼着しておいてもよい。折り曲げ状態を安定して維持し、カメラ付き携帯電話機等での二次元コードの読み取りを容易にするためである。
再湿性接着剤には、アラビアゴムと澱粉などを混合したものなどを使用する。
【００３９】
図１０は、二次元コード印刷物の製作方法の例を示す図である。
例えば図５に図示するような分割パターンを用紙５の表裏に印刷する場合は、１枚の用紙５の表面側に一の分割パターンＰ１を印刷し、裏面側に他の分割パターンＰ２を別工程で印刷する方法がある。その一方で図１４のように、１枚の用紙５の一方の面に分割パターンＰ１とＰ２を印刷し、その後に中央折り線４により、分割パターンＰ１とＰ２が外側の面になるようにして正しく二つ折りし、内側の面間を接着して１枚の用紙５とする方法がある。
こうして一枚の用紙５とした後、所定の体裁に裁断するのが好ましい。その理由は表面側の印刷と裏面側の印刷を別工程により行う場合は、表裏パターンの位置ずれが生じ易いからである。
【実施例】
【００４０】
（実施例１）
用紙５として、７０ｋｇ（４６判換算）の上質紙を使用し、図１図示のような分割パターンＰ１，Ｐ２を、用紙５の表面側にのみオフセット印刷した。綴じ代３に沿って、切り取り線２を入れて、本実施例の二次元コード印刷物１を得た。この二次元コード印刷物１を平綴じして冊子を完成した。この状態では、二次元コード印刷物１は冊子に綴じられているので谷折り線１ｔならびに山折り線１ｙ（分割端でもある）で折ることができず、したがって二次元コード完成体１０は得られない。
この冊子から、二次元コード印刷物１を切り取り線２から切り取りし、図７（Ａ）のように、谷折り線１ｔと山折り線１ｙ（分割端と重なる）により折り曲げすることで図７（Ｂ）のような二次元コード完成体１０を得た。
【００４１】
（実施例２）
用紙５として、７０ｋｇ（４６判換算）の上質紙を使用し、図２図示のような分割パターンＰ１，Ｐ２，Ｐ３を、用紙５の表面側にのみオフセット印刷した。綴じ代３に沿って、切り取り線２を入れて、本実施例の二次元コード印刷物１を得た。分割パターンＰ１，Ｐ２，Ｐ３は、分割端４ａ，４ｂ部分で相互に０．２ｍｍの幅で重なり合うようにした。この二次元コード印刷物１を平綴じして冊子を完成した。
完成した状態では、二次元コード印刷物１は冊子に綴じられているので谷折り線１ｔ、２ｔ、ならびに山折り線１ｙ、２ｙ（分割端と重なる）で折ることができず、したがって二次元コード完成体１０は得られない。
この冊子から、二次元コード印刷物１を切り取り線２から切り取りし、谷折り線１ｔ、２ｔ、ならびに山折り線１ｙ、２ｙ（分割端と重なる）により折り曲げすることで二次元コード完成体１０を得た。（図示せず）
【００４２】
（実施例３）
用紙５として、７０ｋｇ（４６判換算）の上質紙を使用し、図３図示のように分割パターンＰ１を用紙５の表面側の所定位置に、分割パターンＰ２を用紙５の裏面側の所定位置に、それぞれ見当合わせしてオフセット印刷した。綴じ代３に沿って、切り取り線２を入れ、本実施例の二次元コード印刷物１を得た。分割パターンＰ１，Ｐ２は、分割端４ａ部分で相互に０．３ｍｍの幅で重なり合うようにした。この二次元コード印刷物１を平綴じして冊子を完成した。
完成した状態では、二次元コード印刷物１は冊子に綴じられているので谷折り線３ｔで折ることができず、したがって二次元コード完成体１０は得られない。この冊子から、二次元コード印刷物１を切り取り線２から切り取りし、図８（Ａ）のように谷折り線３ｔで折り曲げることで、図８（Ｂ）のような二次元コード完成体１０を得た。
【００４３】
（実施例４）
用紙５として、７０ｋｇ（４６判換算）の上質紙を使用し、図４図示のように分割パターンＰ１を用紙５の表面側の所定位置に、分割パターンＰ２、Ｐ３を用紙５の裏面側の所定位置に、それぞれ見当合わせしてオフセット印刷した。綴じ代３に沿って、切り取り線２を入れ、本実施例の二次元コード印刷物１を得た。分割パターンＰ１，Ｐ２，Ｐ３は、分割端４ａ，４ｂ部分で相互に０．３ｍｍの幅で重なり合うようにした。この二次元コード印刷物１を平綴じして冊子を完成した。
完成した状態では、二次元コード印刷物１は冊子に綴じられているので谷折り線３ｔ、４ｔで折ることができず、したがって二次元コード完成体１０は得られない。
この冊子から、二次元コード印刷物１を切り取り線２から切り取りし、谷折り線３ｔ、４ｔで折り曲げることで分割パターンＰ１の分割端４ａと分割パターンＰ２の用紙端部が、分割パターンＰ１の分割端４ｂと分割パターンＰ３の用紙端部が、それぞれ隣接し二次元コード完成体１０を得た。（図示せず）
【００４４】
（実施例５）
用紙５として、７０ｋｇ（４６判換算）の上質紙を使用し、図５図示のように分割パターンＰ１を用紙５の表面側の所定位置に、分割パターンＰ２を用紙５の裏面側の所定位置に、それぞれ見当合わせしてオフセット印刷した。
本実施例の分割パターンＰ１は二次元コード完成体の一つの角部分を四角形の二辺に相当する形状の分割端５ａにより、四角形状に切り取りした形状のパターンである。また本実施例の分割パターンＰ２は前記二次元コード完成体から前記分割パターンＰ１を切り取った形状のパターンである。本実施例のものは、前記分割パターンＰ１が用紙５の一方の面の所定位置に、前記分割パターンＰ２が用紙５の他方の面の端部に印刷されており、用紙５を谷折り線５ｔで折り曲げて、二つの分割パターンＰ１，Ｐ２を分割端５ａで隣接させることにより、二次元コードとして読み取り可能になる特徴がある。
分割パターンＰ１，Ｐ２は、分割端５ａ部分で相互に０．３ｍｍの幅で重なり合うようにした。綴じ代３に沿って、切り取り線２を入れ、本実施例の二次元コード印刷物１を得た。この二次元コード印刷物１を平綴じして冊子を完成した。
完成した状態では、二次元コード印刷物１は冊子に綴じられているので谷折り線５ｔの延長線は斜め方向から綴じ代３と交わっており、谷折り線５ｔで折ることができず、したがって二次元コード完成体１０は得られない。
この冊子から、二次元コード印刷物１を切り取り線２から切り取りし、谷折り線５ｔで折り曲げることで二次元コード完成体１０を得た。（図示せず）
【００４５】
（実施例６）
用紙５として、７０ｋｇ（４６判換算）の上質紙を使用し、図６図示のように分割パターンＰ１を用紙５の表面側の所定位置に、分割パターンＰ２，Ｐ３を用紙５の裏面側の所定位置に、それぞれ見当合わせしてオフセット印刷した。
本実施例の分割パターンＰ１，Ｐ２は二次元コード完成体の角部分を四角形の二辺に相当する形状の分割端５ａ，５ｂにより、二つの四角形状に切り取りした形状のパターンである。本実施例の分割パターンＰ１は前記二次元コード完成体から前記分割パターンＰ１，Ｐ２を切り取った形状のパターンである。結果的に本実施例の二次元コード印刷物１は、二次元コード完成体を三つの分割パターンＰ１，Ｐ２，Ｐ３に分割した形状のパターンを有する印刷物である。切り取りされて残った一の分割パターンＰ１が用紙５の一方の面に、四角形状の他の二つの分割パターンＰ２，Ｐ３が用紙５の他方の面の端部に印刷されている。本実施例のものは、用紙５を谷折り線５ｔで折り曲げて、分割パターンＰ２とＰ１とを分割端５ａで隣接させ、用紙５を谷折り線６ｔで折り曲げて、分割パターンＰ３とＰ１とを分割端５ｂで隣接させることにより、二次元コードとして読み取り可能になる特徴がある。
分割パターンＰ１とＰ２は、分割端５ａ部分で相互に０．３ｍｍの幅で重なり合うようにした。分割パターンＰ１とＰ３は、分割端５ｂ部分で相互に０．３ｍｍの幅で重なり合うようにした。綴じ代３に沿って、切り取り線２を入れ、本実施例の二次元コード印刷物１を得た。この二次元コード印刷物１を平綴じして冊子を完成した。
完成した状態では、二次元コード印刷物１は冊子に綴じられているので谷折り線５ｔ，６ｔの延長線は斜め方向から綴じ代３と交わっており、谷折り線５ｔ，６ｔで折ることができず、したがって二次元コード完成体１０は得られない。
この冊子から、二次元コード印刷物１を切り取り線２から切り取りし、谷折り線５ｔ，６ｔで折り曲げることで二次元コード完成体１０を得た。（図示せず）
【００４６】
実施例１〜実施例６で得られた二次元コード完成体１０は、何れもカメラ付き携帯電話機等の二次元コード読取り装置で、正しくコードデータを読み取りすることができた。
【００４７】
以上詳述した各実施形態は一例であって、本発明はこれらの各実施形態に限定されるものではありません。例えば、以下に挙げる種々の変形例も本発明の技術的範囲に属すものである。
（変形例１）
実施形態４に示した形態において、図４に図示したように分割パターンＰ１を用紙５の表面側の所定位置に、分割パターンＰ２、Ｐ３を用紙５の裏面側の所定位置に設け、谷折り線３ｔ、４ｔで折り曲げることで分割パターンＰ１の分割端４ａと分割パターンＰ２の用紙端部が、分割パターンＰ１の分割端４ｂと分割パターンＰ３の用紙端部が、それぞれ隣接し二次元コード完成体１０を得るというものであるが、前記分割パターンＰ１が存在しない形態であってもよい。
即ち、二次元パターン完成体を二つの分割パターンＰ２、Ｐ３に分割し、分割パターンＰ２、Ｐ３の分割端が用紙端部になるようにすることも可能である。
【００４８】
（変形例２）
例えば、実施例３〜６においては分割パターンを用紙５の表裏に有する二次元コード印刷物の製造方法として、用紙５の表裏に別々に印刷する方式（所謂両面印刷方式）のものを示したが、倍のサイズの用紙５の片面にのみに分割パターンを印刷する方式（所謂片面印刷）で行い、次いで分割パターンが外側になるように中央折り線から二つ折りし、内側を接着するようにしてもよい。
具体的には、例えば実施例５においては、用紙５として７０ｋｇ（４６判換算）の上質紙を使用し、図５に図示するように分割パターンＰ１を用紙５の表面に、分割パターンＰ２を用紙５の裏面にそれぞれ印刷し二次元コード印刷物を得た。
これに対して、用紙５として４５ｋｇ（４６判換算）の上質紙を使用し、図１４に図示する分割パターンＰ１，Ｐ２を用紙５の表面のみに印刷し、中央折り線４から二つ折りし、内側を接着して図５と略同様な二次元コード印刷物を得た。
【００４９】
（変形例３）
本実施例で示した二次元コード完成体の外形は四角形であって、その各辺が用紙５の各辺に対して平行となるにように図示しているが、必ずしも平行である必要はない。本発明の二次元コード完成体は用紙５の各辺に対して所定の角度を以て形成されるものでもよい。
【００５０】
図１２は、二次元コード印刷物の実施形態７を示す図である。
図１２（Ａ）のように、実施形態７の二次元コード印刷物１は、二次元コード完成体を１本の分割端４ａにより二分割した状態の二つの分割パターンＰ１，Ｐ２を用紙５に有する印刷物である。実施形態７は実施形態３と類似しているが、実施形態７では、用紙５の一方の面にカード媒体７を設け、二つの分割パターンＰ１，Ｐ２のいずれか一つをカード媒体７の上に印刷する。図１２（Ａ）では、用紙５の表面にカード媒体７を設け、一の分割パターンＰ１をカード媒体７の上に、他の一の分割パターンＰ２を用紙５の裏面の端部（図１２において下端）に印刷し、用紙５を折り曲げして、二つの分割パターンＰ１，Ｐ２を分割端４ａで隣接させることにより、二次元コードとして読み取り可能になる。
【００５１】
図１２（Ｂ）は、実施形態７の裏面を示す図である。図１２（Ｂ）ように、分割パターンＰ２は、用紙５の下端に接して設けられており、分割端４ａと用紙５の下端の中間が折り曲げの中心線である谷折り線３ｔとなっている。
【００５２】
なお、実施形態７では、用紙５の裏面にカード媒体７を設け、カード媒体７の上に一の分割パターンＰ２を印刷する形態も考えられる。
【００５３】
図１３は、二次元コード印刷物の実施形態８を示す図である。
図１３（Ａ）のように、実施形態８の二次元コード印刷物１は、二次元コード完成体が１本の分割端４ａにより二分割され、二つの分割パターンＰ１，Ｐ２を用紙５に印刷した印刷物である。
実施形態８は実施形態１と類似しているが、図１３では、二つの分割パターンＰ１，Ｐ２が用紙５の同一面（表面）に、間隔を空けて印刷され、用紙５の折り方を折り線で示す折り図が用紙５の少なくとも一面に印刷されていて、実施形態８の二次元コード印刷物１では、折り線に沿って用紙５を所定形状に折ることで、二つの分割パターンが分割端４ａで隣接して二次元コードとして読み取り可能になり、かつ、折られた用紙５が折り図に対応する形状になる。
【００５４】
図１３で図示した用紙５に印刷した折り図に対応する形状はハート型で、ハート型の折り図には、谷折り線７ｔ１〜７ｔ６が含まれ、二つの分割パターンＰ１，Ｐ２は、用紙５をハート型の形状に折った際、ハート型の中央部で隣接するように用紙５の表面に印刷されている。図１３（Ａ），（Ｂ）では、ハート型に対応した折り図に含まれる折り線のうち、谷折り線７ｔ５は用紙５の表面に印刷され、それ以外の折り線である谷折り線７ｔ１〜７ｔ４および谷折り線７ｔ６は用紙５の裏面に印刷されている。なお、本発明を実現できる限り、用紙５に印刷する折り図の内容は任意でよい。
【００５５】
図１４は、二次元コード印刷物の実施形態７の使用方法を示す図である。
実施形態７の場合は、二次元コード印刷物１を切り取り線２から切り取りした後、谷折り線３ｔを折り曲げして、分割パターンＰ２を分割端４ａに接近して、カード媒体７の上に印刷した分割パターンＰ１に分割パターンＰ２を隣接させることにより二次元コード完成体１０として読み取りが可能になる。
【００５６】
図１５は、二次元コード印刷物の実施形態８の使用方法を示す図である。
実施形態８の場合は、二次元コード印刷物１を切り取り線２から切り取りした後、谷折り線７ｔ１〜７ｔ６の順で折り曲げることで、二つの分割パターンＰ１，Ｐ２が分割端４ａで隣接して二次元コードとして読み取り可能になり、かつ、折られた用紙５が折り図に対応するハート型になる。
図１５（Ａ）は、谷折り線７ｔ１、７ｔ２に従い谷折りすることで十字の折り目を付けた二次元コード印刷物１を、分割パターンＰ１，Ｐ２が印刷されている側を下にして裏面を表にし、谷折り線７ｔ３，７ｔ４の順で谷折りした後の図である。谷折り線７ｔ３に沿って用紙５を谷折りした後、谷折り線７ｔ４に沿って用紙５を谷折りすることで、二次元コード印刷物１は正方形になり、二つの分割パターンＰ１，Ｐ２が分割端４ａで隣接する。
図１５（Ｂ）は、図１５（Ａ）の状態にした二次元コード印刷物１を裏返し、谷折り線７ｔ５，７ｔ６の順で谷折りした後の図である。図１５（Ｃ）は、図１５（Ｂ）の状態にした二次元コード印刷物１を裏返しときの図である。図１５（Ｂ）で図示したように、谷折り線７ｔ５，７ｔ６の順で谷折りすることで、二次元コード印刷物１はハート型になり、図１５（Ｃ）で図示したように、ハート型の二次元コード印刷物１を裏返すことで、ハート型の中央部で隣接している二つの分割パターンＰ１，Ｐ２を二次元コードとして読み取り可能になる。
【００５７】
（実施例７）
用紙５として、７０ｋｇ（４６判換算）の上質紙を使用し、図１２で図示したように、分割パターンＰ２を裏面側の所定位置にオフセット印刷し、シール状のカード媒体７を用紙５の表面側の所定位置に貼り付け、綴じ代３に沿って切り取り線２を入れることで本実施例の二次元コード印刷物１を得て、この二次元コード印刷物１を平綴じして冊子を完成した。
完成した状態では、二次元コード印刷物１は冊子に綴じられているので谷折り線３ｔで折ることができず、したがって二次元コード完成体１０は得られない。この冊子から、二次元コード印刷物１を切り取り線２から切り取りし、図１４のように谷折り線３ｔで折り曲げることで二次元コード完成体１０を得た。
【００５８】
（実施例８）
用紙５として、７０ｋｇ（４６判換算）の上質紙を使用し、図１３で図示したように、二つの分割パターンＰ１，Ｐ２を用紙５の表面側の所定位置にオフセット印刷し、ハート型に対応した折り図を用紙５の表面側・裏面側の所定位置にオフセット印刷し、綴じ代３に沿って切り取り線２を入れることで本実施例の二次元コード印刷物１を得て、この二次元コード印刷物１を平綴じして冊子を完成した。
完成した状態では、二次元コード印刷物１は冊子に綴じられているので谷折り線３ｔで折ることができず、したがって二次元コード完成体１０は得られない。この冊子から、二次元コード印刷物１を切り取り線２から切り取りし、図１５のように谷折り線３ｔで折り曲げること、ハート型の二次元コード印刷物１と二次元コード完成体１０を得た。
【符号の説明】
【００５９】
１    二次元コード印刷物
２    切り取り線
３    綴じ代
４    中央折り線
５    用紙
６    綴じ辺
４ａ，４ｂ，５ａ，５ｂ    分割端
１ｔ，２ｔ，３ｔ，４ｔ，５ｔ，６ｔ，７ｔ１〜７ｔ６    谷折り線
１ｙ，２ｙ    山折り線
１０  二次元コード完成体
【図１】
2019077181.tif 000003
【図２】
2019077181.tif 000004
【図３】
2019077181.tif 000005
【図４】
2019077181.tif 000006
【図５】
2019077181.tif 000007
【図６】
2019077181.tif 000008
【図７】
2019077181.tif 000009
【図８】
2019077181.tif 000010
【図９】
2019077181.tif 000011
【図１０】
2019077181.tif 000012
【図１１】
2019077181.tif 000013
【図１２】
2019077181.tif 000014
【図１３】
2019077181.tif 000015
【図１４】
2019077181.tif 000016
【図１５】
2019077181.tif 000017